(57)【特許請求の範囲】
【請求項１】
タッチパネル上のタッチキーを用いてデータ入力しつつ商品登録業務を行うために必要な登録画面と，商品登録後の会計業務を行うために必要な会計画面とを表示器の表示画面に表示可能に構成された商品販売登録データ処理装置において、
前記商品登録業務の終了信号によって前記表示器の表示画面を前記登録画面から前記会計画面に切替表示する会計画面表示制御手段と、
前記表示器に前記会計画面が表示されている場合には前記商品登録業務処理の実行を禁止する登録禁止制御手段と、
前記表示器に前記会計画面が表示されている間にオペレータが前記タッチパネルに触れたことを条件として表示画面を前記会計画面から前記登録画面に切替表示する登録画面表示制御手段と、
を設けたことを特徴とする商品販売登録データ処理装置。
【発明の詳細な説明】
【０００１】
【産業上の利用分野】
本発明は、タッチパネル上のタッチキーを用いてデータ入力しつつ商品登録業務を行うために必要な登録画面と，商品登録後の会計業務を行うために必要な会計画面とを表示器に表示可能に構成された商品販売登録データ処理装置に関する。
【０００２】
【従来の技術】
商品販売登録データ処理装置を用いた商品販売登録業務を大別すると、商品登録業務と会計業務とに分けられる。商品登録業務は、顧客買上商品の登録をするもので、入力手段を用いて行う。すなわち、入力手段を用いて商品コードを入力すると、制御部が商品ファイルを検索して商品データ（商品名，単価等）を求め、これを売上データとして売上ファイルに登録する。
【０００３】
一方の会計業務は、登録商品についての金銭授受を含む会計を行う。すなわち、顧客買上商品の全てを登録した後に、オペレータがキーボード上の例えば預／現計キーを押下して締め操作を行うと、売上データから合計金額等が算出・表示される。キー入力された預り金額との関係から釣銭金額も算出・表示される。しかる後に、ドロワが自動開放されかつレシートが発行される。この会計業務は、キャッシャー用表示器の表示画面に表示された会計画面を見ながら確認しつつ行われる。
【０００４】
ここに、商品コード乃至商品データの入力手段としては、スキャナ，キーボードの他にタッチパネルが利用されている。このタッチパネルは、商品がレストラン等におけるメニューである場合に採用されることが多い。つまり、表示された多数のメニューキーのうちの１つをタッチすることにより、当該メニューの登録をすることができる。
【０００５】
かくして、図５に示す如く、タッチパネル１６を採用する場合には、キャッシャー用表示器１７ＣＨＲの表示画面の左側に複数のページキー１６Ｐや多数のメニューキー１６Ｍ等を有する登録画面を表示（図４のＳＴ３０）し、かつその右側に会計画面を表示（ＳＴ３０）するものと形成されている。
【０００６】
したがって、キャッシャーは、左側の登録画面を見つつメニューキー１６Ｍをタッチして商品登録（ＳＴ３１のＹＥＳ，ＳＴ３２のＹＥＳ，ＳＴ３３）し、締め操作後は右側の会計画面を見つつ会計業務（ＳＴ３４のＹＥＳ，ＳＴ３５）を行えるから、業務能率が高い。
【０００７】
【発明が解決しようとする課題】
しかし、かかる装置も例外でなく小型・軽量化が強く望まれる一方において、普及拡大に伴いメニュー（商品）数やサービス（商品）数が一段と増大する傾向にある。したがって、キャッシャー用表示器１７ＣＨＲに表示される登録画面と会計画面とが見難くなってしまう。特に、各メニューキー１６Ｍが小さくなることは、商品登録業務能率を非常に低下させる要因となるばかりか、ミス入力も生じさせ易い。
【０００８】
この不利不便を解消する策の１つとして、例えば商品登録業務中は表示画面一杯に登録画面のみを表示させ、会計業務中は会計画面のみを表示させればよいとの考え方がある。試行によると、確かに見易くかつ取扱い易くなるが、登録画面（会計画面）から会計画面（登録画面）への切替作業に、想像以上の手間と時間が掛り煩雑となる。特に、店内繁忙になると、キーボード上の画面切替キーをその都度に毎回押下操作することは、キャッシャーにとって肉体的，精神的にも耐え難いとの指摘もある。
【０００９】
本発明の目的は、登録画面と会計画面とを迅速かつ正確に切替表示できる取扱い簡単な商品販売登録データ処理装置を提供することにある。
【００１０】
【課題を解決するための手段】
本発明は、タッチパネル上のタッチキーを用いてデータ入力しつつ商品登録業務を行うために必要な登録画面と，商品登録後の会計業務を行うために必要な会計画面とを表示器の表示画面に表示可能に構成された商品販売登録データ処理装置において、前記商品登録業務の終了信号によって前記表示器の表示画面を前記登録画面から前記会計画面に切替表示する会計画面表示制御手段と、前記表示器に前記会計画面が表示されている場合には前記商品登録業務処理の実行を禁止する登録禁止制御手段と、前記表示器に前記会計画面が表示されている間にオペレータが前記タッチパネルに触れたことを条件として表示画面を前記会計画面から前記登録画面に切替表示する登録画面表示制御手段と、を設けたことを特徴とする。
【００１１】
【作用】
上記構成による本発明では、例えば締め操作によって商品登録業務の終了信号が自動的に発せられると、会計画面表示制御手段が表示器の表示画面を登録画面から会計画面に切替表示する。したがって、オペレータは格別の切替操作をする必要がなく、会計画面を見ながら直ちに会計業務を行える。会計画面を表示画面一杯に表示させることが可能となるから、非常に見易く業務能率を向上できる。
【００１２】
この会計画面が表示されている間は、登録禁止制御手段が商品登録業務処理の実行を禁止する。したがって、オペレータが例えば預り金額をキー入力する際に誤って商品登録にも使用可能なキーをミス操作したとしても、商品登録されることはない。
【００１３】
会計業務を終了し次の顧客に関する商品登録業務に移る場合、オペレータはタッチパネルに軽く手を触れる。すると、登録画面表示制御手段が、表示画面を会計画面から登録画面に切替える。特定の例えば画面切替キーを捜し出しつつ操作するわけでないから、非常に簡単である。
【００１４】
かくして、登録画面から会計画面への切替えに格別の操作を必要とせず、かつ会計画面から登録画面への切替えはタッチパネルを触れるだけでよいから、取扱いが非常に簡単である。登録画面上に大きなメニューを多数配設することも可能となる。
【００１５】
【実施例】
以下、本発明の実施例を図面を参照して説明する。
本商品販売登録データ処理装置は、図１に示す如く、基本的構造が電子キャッシュレジスタ１０から構成され、かつ会計画面表示制御手段（１２，１３）と，登録禁止制御手段（１２，１３）と，登録画面表示制御手段（１２，１３）とを設け、商品登録業務終了信号によって登録画面から会計画面に自動的に切替表示可能可能かつタッチパネル１６に手を触れることにより会計画面から登録画面に自動的に切替表示可能に構成されている。
【００１６】
図１において、電子キャシュレジスタ１０は、ＣＰＵ１２，ＲＯＭ１３，ＲＡＭ１４，キーボード１５（キーボード回路１５Ｃ），タッチパネル１６（タッチパネル回路１６Ｃ），表示回路１７Ｃを介して接続されたキャッシャー用表示器１７ＣＨＲおよび顧客用表示器１７ＣＳＴ，プリンタ１８（プリンタ回路１８Ｃ），ドロワ自動開放装置１９（ポート１９Ｃ）を含み、商品登録業務，会計業務等を含む商品販売登録業務を実行可能に形成されている。
【００１７】
キーボード１５上には、商品登録業務が終了したことを宣言する締め（預り／現計）キー１５Ｔ，画面切替キー１５Ｃ，置数キー等々が設けられている。締めキー１５Ｔを押下操作すると、商品登録業務の終了信号が発せられるものとされ、、この終了信号はＲＡＭ１４に記憶される。なお、タッチパネル１６は、キーボード回路１５Ｃに接続するようにしてもよい。
【００１８】
タッチパネル１６は、図１に２点鎖線で示すようにキャッシャー用表示器１７ＣＨＲと一体的に形成され、その大きさは図３に示す如く、キャッシャー用表示器１７ＣＨＲの表示画面の大きさとほぼ同じとされている。したがって、ページキー１６Ｐやメニューキー１６Ｍは、従来例（図５）の場合に比較して大きくでき取扱い簡単となる。より多数のメニューキー１６Ｍ等を表示配設することも可能である。
【００１９】
なお、キーボード１５上のキー入力によっても、商品登録業務を行える。例えば、特別メニュー等の入力の場合である。
【００２０】
登録画面（１面）および会計画面（２面）は、ＲＯＭ１３に格納され、稼働中は、ＲＡＭ１４に展開し表示使用される。この実施例の場合は、装置電源を投入しかつ登録会計モードを選択すると、キャッシャー用表示器１７ＣＨＲの表示画面に、図３（Ａ）に示すように、登録画面が表示（図２のＳＴ１０）されるものと形成されている。
【００２１】
さて、会計画面表示制御手段は、商品登録業務の終了信号が入力（図２のＳＴ１１のＹＥＳ，ＳＴ２１のＹＥＳ）されるとキャッシャー用表示器１７ＣＨＲの表示画面に表示されていた登録画面〔図３（Ａ）〕に代えて会計画面〔図３（Ｂ）〕に自動的に切替えて表示する手段で、第１切替表示制御プログラムを格納させたＲＯＭ１３とＣＰＵ１２とから形成され、図２のＳＴ１９で実行される。
【００２２】
登録禁止制御手段は、キャッシャー用表示器１７ＣＨＲに会計画面が表示されている場合（図２のＳＴ１９）には商品登録業務処理の実行（ＳＴ１６）を禁止する手段で、登録禁止制御プログラムを格納させたＲＯＭ１３とＣＰＵ１２とから形成され、図２のＳＴ２０で実行される。オペレータがキーボード１５上の会計業務を行うものでなくかつ商品登録可能なキーを誤って操作しても、商品登録を不可能とするためである。
【００２３】
また、登録画面表示制御手段は、キャッシャー用表示器１７ＣＨＲに会計画面が表示されている間にオペレータがタッチパネル１６に触れたことを条件（図２のＳＴ１２のＹＥＳ，ＳＴ１３のＹＥＳ）に、その表示画面に登録画面を切替表示する手段で、第２の切替表示制御プログラムを格納させたＲＯＭ１３とＣＰＵ１２とから形成され、図２のＳＴ１４で実行される。
【００２４】
この際、登録禁止制御手段（１２，１３）による登録禁止（ＳＴ２０）は解除（ＳＴ１５）される。
【００２５】
また、この実施例の場合は、任意切替表示制御手段（ＣＰＵ１２，ＲＯＭ１３）を設け、キーボード１５上の画面切替キー１５Ｃを押下操作（ＳＴ１１のＹＥＳ，ＳＴ１７のＹＥＳ）した場合には、表示画面を会計画面（登録画面）から登録画面（会計画面）に切替えられるものと形成してある（ＳＴ１４，ＳＴ１９）。主に、登録内容の確認や追加商品登録業務等の実行容易化に使用される。
【００２６】
次に、この実施例の作用を説明する。
装置電源を投入し、登録・会計モードに切替えると、キャッシャー用表示器１７ＣＨＲに図３（Ａ）に示す登録画面が表示される（図２のＳＴ１０）。したがって、オペレータは、タッチパネル１６上のメニューキー１６Ｍを用いて商品（メニュー）登録（ＳＴ１６）することができる（ＳＴ１１のＹＥＳ，ＳＴ１２のＹＥＳ）。
【００２７】
なお、キーボード１５上のキー入力（ＳＴ１１のＹＥＳ，ＳＴ１２のＮＯ，ＳＴ２６のＹＥＳ）によっても、登録画面が表示中（ＳＴ２７のＹＥＳ）であれば、商品登録（ＳＴ１６）できる。
【００２８】
当該顧客の全ての商品（メニュー）について商品登録が終了したときに、キーボード１５上の締めキー１５Ｔを押下操作（ＳＴ１１のＹＥＳ，ＳＴ１２のＮＯ，ＳＴ１７のＮＯ，ＳＴ２１のＹＥＳ）すると、この締め操作（ＳＴ２１のＹＥＳ）によって商品登録業務の終了信号が自動的に発せられる。すると、会計画面表示制御手段（１２，１３）が、キャッシャー用表示器１７ＣＨＲの表示画面を図３（Ａ）に示す登録画面から同（Ｂ）に示す会計画面に切替えて表示する（ＳＴ２２のＹＥＳ，ＳＴ１９）。
【００２９】
したがって、オペレータは格別の切替操作をする必要がなく、会計画面を見ながら直ちに会計業務を行える（ＳＴ２３のＹＥＳ，ＳＴ２４のＹＥＳ，ＳＴ２５）。会計画面を表示画面一杯に表示させることが可能となるから、非常に見易く業務能率を向上できる。
【００３０】
この会計画面が表示されている間は、登録禁止制御手段（１２，１３）が商品登録業務処理の実行を禁止する（ＳＴ２０）。したがって、オペレータが、例えば預り金額をキー入力する際に誤って商品登録にも使用可能なキーをミス操作したとしても、商品登録（ＳＴ１６）されることはない。
【００３１】
なお、商品登録内容を確認したい場合や追加商品登録をしたい場合には、キーボード１５上の画面切替キー１５Ｃを押下操作（ＳＴ１１のＹＥＳ，ＳＴ１２のＮＯ，ＳＴ１７のＹＥＳ）すればよい。直ちに登録画面に戻すことができる（ＳＴ１８のＹＥＳ，ＳＴ１４）。
【００３２】
会計業務を終了し、次の顧客に関する商品登録業務に移る場合、オペレータはタッチパネル１６に軽く手を触れる（ＳＴ１１のＹＥＳ，ＳＴ１２のＹＥＳ）。すると、登録画面表示制御手段（１２，１３）が、表示画面を登録画面に切替える。特定の例えば画面切替キー（１５Ｃ）を操作するわけでないから、非常に簡単である。
【００３３】
かくして、登録画面から会計画面への切替えに格別の操作を必要とせず、かつ会計画面から登録画面への切替えはタッチパネル１６を触れるだけでよいから、取扱いが非常に簡単である。登録画面上に大きなメニューを多数配設することも可能となる。
【００３４】
しかして、この実施例によれば、会計画面表示制御手段（１２，１３）と，登録禁止制御手段（１２，１３）と，登録画面表示制御手段（１２，１３）とを設け、商品登録業務終了信号によって登録画面から会計画面に自動的に切替表示可能、かつタッチパネル１６に手を触れることにより会計画面から登録画面に自動的に切替表示可能に構成されているので、オペレータは通常的な商品登録用操作および会計用操作をするだけで登録画面から会計画面に自動的に切替えられ、かつ１取引きが終了して次の顧客に関する商品登録を行おうとするときにタッチパネル１６に触れるだけで会計画面から登録画面に自動的に切替えられるから、取扱いが非常に簡単で、商品販売登録業務を迅速かつ正確に行える。
【００３５】
また、タッチパネル１６がキャッシャー用表示器１７ＣＨＲの表示画面とほぼ同じ大きさとされているので、多数のメニューキー１６Ｍを表示配設できるとともに、各メニューキー１６Ｍ等を従来例（図５）の場合に比較して大きくできるので、取扱いを一段と容易とすることができる。
【００３６】
また、画面切替キー１５Ｃと任意切替表示制御手段（１２，１３）とを設け、任意時に会計画面（登録画面）から登録画面（会計画面）に切替表示可能に形成されているので、例えば一旦会計画面に切替表示した後に登録画面に戻して追加商品登録等を容易に行える。
【００３７】
【発明の効果】
本発明によれば、会計画面表示制御手段と，登録禁止制御手段と，登録画面表示制御手段とを設け、商品登録業務終了信号によって登録画面から会計画面に自動的に切替表示可能、かつタッチパネルに手を触れることにより会計画面から登録画面に自動的に切替表示可能に構成されているので、オペレータは通常的な商品登録用操作および会計用操作をするだけで登録画面から会計画面に自動的に切替えられ、かつ１取引きが終了して次の顧客に関する商品登録を行おうとするときにタッチパネルに触れるだけで会計画面から登録画面に自動的に切替えられるから、取扱いが非常に簡単で、商品販売登録業務を迅速かつ正確に行える。
【図面の簡単な説明】
【図１】本発明の実施例を示すブロック図である。
【図２】同じく、動作を説明するためのフローチャートである。
【図３】同じく、切替表示態様を説明するための図である。
【図４】従来例の動作を説明するためのフローチャートである。
【図５】同じく、表示態様を説明するための図である。
【符号の説明】
１０  電子キャッシュレジスタ（商品販売登録データ処理装置）
１１  ＣＰＵ（会計画面表示制御手段，登録禁止制御手段，
登録画面表示制御手段）
１２  ＲＯＭ（会計画面表示制御手段，登録禁止制御手段，
登録画面表示制御手段）
１３  ＲＡＭ
１５  キーボード
１５Ｔ  締めキー
１５Ｃ  画面切替キー
１６  タッチパネル
１６Ｐ  ページキー
１６Ｍ  メニューキー（タッチキー）
１７ＣＨＲ  キャッシャー用表示器（表示器）
【図１】
0003607341.tif 000002
【図２】
0003607341.tif 000003
【図３】
0003607341.tif 000004
【図４】
0003607341.tif 000005
【図５】
0003607341.tif 000006